(57)【特許請求の範囲】
【請求項１】
配線機器を収容するケースと、
上記配線機器を覆うために上記ケースに取り付けられるカバーと、を備えた分電盤であって、
上記カバーの２つの対向する側面の少なくとも１つには、カバー凹部が設けられており、
上記カバー凹部の少なくとも一方には、上記ケースから上記カバーを取り外すための取手部が、当該カバー凹部内において可動であるように配置されており、
上記取手部には、ユーザが上記取手部の少なくとも一部に手を掛けることが可能な取手凹部が設けられており、
上記カバーと上記ケースとが取り付けられた時の、上記ケースの下面から上記カバーの上面に向かう方向を高さ方向として、
上記取手凹部の下部には、上記高さ方向に沿って傾斜する斜面が設けられており、
上記取手部は、上記ケースを固定する固定部を有しており、
上記取手部は、上記カバー凹部の外側に向けて引っ張られることにより回転し、
上記取手部には、上記ユーザが上記取手部を把持して操作するための把持部が設けられており、
上記取手部の回転中心は、上記把持部よりも上記カバーの内側に位置しており、
上記取手部の上記回転に伴い、上記固定部が上記ケースから離れることを特徴とする分電盤。
【請求項２】
上記カバー凹部は、上記カバーにおける短辺方向の２つの対向する側面に設けられていることを特徴とする請求項１に記載の分電盤。
【発明の詳細な説明】
【技術分野】
【０００１】
本発明は、分電盤に関する。
【背景技術】
【０００２】
電子機器を安全に使用するためには、電子機器および周囲の配線機器（以下、配線機器等）が、機械的に保護されることが要求される。このため、配線機器等を保護する筐体の構造について、様々な工夫がなされている。
【０００３】
一例として、特許文献１には、ワンタッチ操作で電子機器の筺体にモジュールを取り付けることが可能なモジュール取付構造が開示されている。特許文献１のモジュール取付構造は、モジュールの交換作業を容易化することを目的としたものである。
【０００４】
また、特許文献２には、運搬または設置作業の簡素化をするとともに、通線工事を容易化することが可能な盤ボックスが開示されている。特許文献２の盤ボックスは、本体または枠体の所望の強度を確保しつつ、本体または枠体の軽量化を目的としたものである。
【先行技術文献】
【特許文献】
【０００５】
【特許文献１】特開２０１０−１５３１８９号公報（２０１０年７月８日公開）
【特許文献２】特開平６−１０５４２０号公報（１９９９年４月１５日公開）
【発明の概要】
【発明が解決しようとする課題】
【０００６】
ところで、分電盤における内部の配線機器等（例えば、分岐開閉器および配線機器）は、ケースの内部に収容され、かつ、当該ケースを覆うカバーによって保護されていることが一般的である。従って、分電盤における内部の配線機器等のメンテナンス作業を行う場合には、ケースからカバーを取り外すことが必要である。
【０００７】
しかしながら、特許文献１および２のいずれにおいても、ケースからカバーを取り外すための作業スペースが狭い場合であっても、カバーの取り外し作業を十分に容易化するための構成については特に考慮されていない。このため、ケースからカバーを取り外すための作業スペースが狭い場合には、分電盤のカバーの取り外し作業が困難であるという問題がある。
【０００８】
本発明は、上記の問題点に鑑みてなされたものであり、その目的は、ケースからカバーを取り外すための作業スペースが狭い場合であっても、分電盤におけるカバーの取り外し作業を従来よりも容易化することにある。
【課題を解決するための手段】
【０００９】
上記の課題を解決するために、本発明の一態様に係る分電盤は、配線機器を収容するケースと、上記配線機器を覆うために上記ケースに取り付けられるカバーと、を備えた分電盤であって、上記カバーの２つの対向する側面の少なくとも１つには、カバー凹部が設けられており、上記カバー凹の少なくとも一方には、上記ケースから上記カバーを取り外すための取手部が、当該カバー凹部内において可動であるように配置されており、上記取手部には、ユーザが取手部の少なくとも一部に手を掛けることが可能な取手凹部が設けられており、上記カバーと上記ケースとが取り付けられた時の、上記ケースの下面から上記カバーの上面に向かう方向を高さ方向として、上記取手凹部の下部には、上記高さ方向に沿って傾斜する斜面が設けられている。
【００１０】
上記の構成によれば、カバー凹部が設けられたカバーの側面の少なくともいずれかが壁に密接している場合であっても、ユーザはカバー凹部内の取手部に容易に手を掛けること
ができる。
【００１１】
従って、ケースからカバーを取り外すための作業スペースが狭い場合であっても、ユーザは、取手部に手を掛けて操作することができるため、ケースからカバーを容易に取り外すことが可能となる。それゆえ、カバーの取り外し作業を従来よりも容易化することができる。
【００１２】
また、上記の課題を解決するために、本発明の一態様に係る分電盤において、上記カバー凹部は、上記カバーにおける短辺方向の２つの対向する側面に設けられていることが好ましい。
【００１３】
上記の構成によれば、カバーにおける長辺方向の２つの対向する側面にカバー凹部を設けた場合に比べて、ケースとカバーとの嵌合の安定性をより向上させることができる。また、カバーの取り外し作業をより効率化することができる。
【００１４】
また、上記の課題を解決するために、本発明の一態様に係る分電盤において、上記取手部は、上記ケースを固定する固定部を有しており、上記取手部は、上記カバー凹部の外側に向けて引っ張られることにより回転し、上記取手部の上記回転に伴い、上記固定部が上記ケースから離れることが好ましい。
【００１５】
上記の構成によれば、ユーザが取手部をカバー凹部の外側に向けて引っ張ることにより、カバーを取り外すことができる。それゆえ、カバーの取り外し作業をさらに容易化することができる。
【００１６】
また、上記の課題を解決するために、本発明の一態様に係る分電盤はにおいて、配線機器を収容するケースと、  上記配線機器を覆うために上記ケースに取り付けられるカバーと、を備えた分電盤であって、  上記カバーの２つの対向する側面の少なくとも１つには、カバー凹部が設けられており、上記カバー凹部の少なくとも一方には、上記ケースから上記カバーを取り外すための取手部が、上記ケースを固定する固定部（００４９）とユーザーが当該取手部を把持して操作するための把持部とを備えて（００５０）上記カバー凹部内において可動であるように配置されており、上記把持部としてユーザが少なくとも一部に手を掛けることが可能な取手凹部が設けられるとともに、上記カバーと上記ケースとが取り付けられた時の、上記ケースの下面から上記カバーの上面に向かう方向を高さ方向として、上記取手凹部の下部には、上記高さ方向に沿って傾斜する斜面が設けられている。
上記取手部には、ユーザが取手部の少なくとも一部に手を掛けることが可能な取手凹部が設けられていることが好ましい。
【００１７】
上記の構成によれば、ユーザが取手部に手を掛けることがより容易となる。それゆえ、カバーの取り外し作業をさらに容易化することができる。
【００１８】
削除  また、上記の課題を解決するために、本発明の一態様に係る分電盤において、上記カバーと上記ケースとが取り付けられた時の、上記ケースの下面から上記カバーの上面に向かう方向を高さ方向として、上記取手凹部の下部には、上記高さ方向に沿って傾斜する斜面が設けられていることが好ましい。

【００１９】
また、上記の構成によれば、ユーザが取手部に手を掛けることがより容易となる。それゆえ、カバーの取り外し作業をさらに容易化することができる。
【発明の効果】
【００２０】
本発明の一態様に係る分電盤によれば、カバーの取り外し作業を従来よりも容易化することができるという効果を奏する。
【図面の簡単な説明】
【００２１】
【図１】本発明の実施形態１に係る分電盤における取手部の概略的な構成を示す斜視図である。
【図２】本発明の実施形態１に係る分電盤における取手部の詳細な構成を示す断面図である。
【図３】本発明の実施形態１に係る分電盤において本体カバーが取り外された状態における基台の外観をそれぞれ示す図であり、（ａ）は平面図であり、（ｂ）は斜視図である。
【図４】本発明の実施形態１に係る分電盤の外観を示す平面図である。
【図５】本発明の実施形態１に係る分電盤において、（ａ）は、主幹ハンドルカバーおよび分岐ハンドルカバーを取り外した状態の分電盤の平面図であり、（ｂ）は、該状態における分電盤の斜視図を示す。
【発明を実施するための形態】
【００２２】
〔実施形態１〕
本発明の実施形態１について、図１〜図５に基づいて説明すれば、以下の通りである。
【００２３】
（分電盤１の概略的な構成）
はじめに、図４および図５を参照し、本発明の一実施形態に係る分電盤１の概略的な構成について述べる。図４は、分電盤１の平面図を示す。図５の（ａ）は、主幹ハンドルカバー１１および分岐ハンドルカバー１２を取り外した状態の分電盤１の平面図を示し、図２の（ｂ）は、該状態における分電盤の斜視図を示す。
【００２４】
分電盤１は、基台２（ケース）、本体カバー３（カバー）、主開閉器４、複数の分岐開閉器５、主幹ハンドルカバー１１、分岐ハンドルカバー１２を備える。主開閉器４は、開閉（導通／遮断）の切り替え操作を行うための主幹ハンドル４ａを備える。分岐開閉器５は、開閉の切り替え操作を行うための分岐ハンドル５ａを備える。主開閉器４および複数の分岐開閉器５は、基台２に取り付けられる。
【００２５】
本体カバー３は、分電盤１の内部に設けられた配線（母線等）を覆うように、基台２に対して取り付けられる。本体カバー３は、主幹ハンドル４ａに対応する箇所に第１開口窓３ａを有し、分岐ハンドル５ａに対応する箇所に第２開口窓３ｂ（開口部）を有する。第２開口窓３ｂには、所定の間隔をおいて複数の架設部１６が設けられている。ここでは、基台２、本体カバー３、主幹ハンドルカバー１１、および分岐ハンドルカバー１２は、樹脂製であるが、これに限らず、金属製であってもよい。
【００２６】
また、本体カバー３には、２つの取手部６が設けられている。取手部６は、本体カバー３を基台２に固定するための部材であるとともに、本体カバー３を基台２から取り外すための部材である。なお、取手部６については、図１および図２を参照して、後に詳細に説明する。後述するように、取手部６が設けられることにより、本体カバー３の取り外し作業が容易化される。これにより、分電盤１のメンテナンス作業が容易化される。
【００２７】
主幹ハンドルカバー１１は、第１開口窓３ａを覆うように、本体カバー３に取り付けられる。主幹ハンドルカバー１１および本体カバー３の第１開口窓３ａ周辺には、対応する凸部と凹部が設けられている。凸部と凹部
とが係合することにより、主幹ハンドルカバー１１が本体カバー３に固定される。主幹ハンドルカバー１１は、工具を使用することなく外側からユーザの手によって着脱（開閉）することができる。
【００２８】
なお、主幹ハンドルカバー１１は、着脱式ではなく、固定された軸を中心に回動して開く構成であってもよい。ただし、回動式に比べて、着脱式の主幹ハンドルカバー１１の方が、軸等が壊れることがなく、主幹ハンドルカバー１１が前側に回動するスペースが必要ないので、小さいスペースで分電盤１を使用（設置）することができる。
【００２９】
（基台２および本体カバー３）
続いて、図３を参照し、基台２および本体カバー３の概略的な構成について説明する。なお、図３には、以下に述べる端子台１５（配線機器）以外の様々な部材が示されているが、本実施形態とは関係しないため、端子台１５以外の部材については説明を省略する。
【００３０】
図３の（ａ）および（ｂ）はそれぞれ、分電盤１において本体カバー３が取り外された状態における基台２の外観を示す図である。図３の（ａ）は基台２の平面図であり、（ｂ）は基台２の斜視図である。
【００３１】
図３に示されるように、基台２には、分電盤１の内部における各種の配線を接続および固定するための端子台１５が取り付けられている。なお、上述したように、基台２は、分電盤１における配線と端子台１５とを収容するケースとして機能する。また、本体カバー３は、配線および端子台１５を覆うように保護する保護部材（カバー）として機能する。
【００３２】
また、図３において、基台２と本体カバー３とが取り付けられた時の、基台２の下面から本体カバー３の上面に向かう方向をｚ方向（高さ方向）と称する（後述の図１および図２も参照）。なお、基台２の下面とは、端子台１５が設けられている面と理解されてよい。また、本体カバー３の上面とは、基台２の下面と平行な面であると理解されてよい。
【００３３】
また、基台２および本体カバー３はそれぞれ、矩形上の断面形状を有している。ここで、基台２および本体カバー３の長辺方向をｘ方向と、短辺方向をｙ方向とそれぞれ称する。図３において、ｘ方向、ｙ方向、およびｚ方向はそれぞれ直交する方向である。
【００３４】
但し、例えば上述の長辺方向と短辺方向との交わる角度が９０°以外となるように、分電盤１を製作することもできる。このように、ｘ方向、ｙ方向、およびｚ方向は、必ずしも互いに直交する方向でなくともよい。
【００３５】
（取手部６）
続いて、図１および図２を参照し、取手部６の構成について詳細に説明する。図１は、取手部６の概略的な構成を示す斜視図である。また、図２は、取手部６の詳細な構成を示す断面図である。
【００３６】
はじめに、図１を参照し、取手部６について概略的に説明する。本体カバー３における互いに対向する２つの側面のそれぞれには、カバー凹部３１が設けられている。これらのカバー凹部３１はそれぞれ、取手部６を配置するための凹部の空間である。本実施形態では、カバー凹部３１は、本体カバー３におけるｙ方向（短辺方向）の２つの対向する側面に設けられている。
【００３７】
そして、取手部６はそれぞれ、カバー凹部３１の内部に配置されている。取手部６は、カバー凹部３１内において可動であるように配置されている。例えば、取手部６は、ユーザが手動で操作することが可能なハンドル状の部材であってよい。このため、ユーザが取手部６に手を掛けて、取手部６を所定の方向に動かすことにより、基台２から本体カバー３を取り外すことができる。
【００３８】
ところで、分電盤の設置条件によっては、分電盤を狭いスペース内に設置することが要求される場合がある。例えば、住宅用の分電盤は、家屋の天井付近の狭いスペース内に設置されることが必要となる場合がある。
【００３９】
このような場合には、分電盤は、上下左右が壁に密接した狭いスペース内に設置されることとなる。このため、分電盤のメンテナンス作業を行う場合には、分電盤のカバーを取り外すための作業スペースも、非常に狭くなる。それゆえ、従来では、このような狭いスペース内に配置された分電盤のカバーをケースから取り外すことは困難であった。
【００４０】
しかしながら、本実施形態の分電盤１によれば、カバー凹部３１が設けられた本体カバー３の側面の少なくともいずれかが壁に密接している場合であっても、ユーザはカバー凹部３１内の取手部６に容易に手を掛けることができる。
【００４１】
従って、基台２から本体カバー３を取り外すための作業スペースが狭い場合であっても、ユーザは、取手部６に手を掛けて操作することができるため、本体カバー３を容易に取り外すことが可能となる。例えば、ユーザは、本体カバー３を分電盤１の前面側（図１におけるｙ軸の正方向）へと取り外すことができる、
このように、本実施形態の分電盤１によれば、本体カバー３の側面に手を掛けるための作業スペースが充分に確保されていない場合であっても、本体カバー３の取り外し作業を従来よりも容易化することができる。
【００４２】
また、本実施形態の分電盤１によれば、分電盤のカバーを取り外すために必要な作業スペースを従来よりも低減することができる。このため、分電盤１の設置の自由度を、従来よりも向上させることができる。このように、本実施形態の分電盤１によれば、設置スペースの寸法が厳しく制限される設置条件に対処することも可能となる。
【００４３】
なお、上述の図１では、２つの取手部６のそれぞれが、カバー凹部３１に設けられる構成が例示されていた。しかしながら、カバー凹部３１のうちの一方のみに、１つの取手部６が設けられていてもよい。すなわち、取手部６は、カバー凹部３１のうちの少なくとも一方に設けられていればよい。
【００４４】
なお、取手部６をカバー凹部３１のうちの一方のみに設ける場合には、取手部６が設けられていない他方のカバー凹部３１が位置する本体カバー３の側面に、基台２を固定するための別の固定機構を付加してもよい。当該固定機構は、例えば、基台２の一部分と係合する爪部を備えていてよい。この爪部は、本体カバー３と基台２との相対位置をずらすことにより、基台２から本体カバー３を取り外すことができる構造を有している。これにより、取手部６の個数を１つとした場合にも、本体カバー３を基台２に対して安定して固定することが可能となる。
【００４５】
また、取手部６の個数を１つとする場合には、カバー凹部３１の個数を１つとすることも可能である。すなわち、カバー凹部３１は、本体カバー３の２つの対向する側面の少なくとも１つに設けられていればよい。
【００４６】
なお、図１に示されるように、カバー凹部３１は、本体カバー３におけるｙ方向の２つの対向する側面に設けられることが好ましい。当該構成によれば、本体カバー３におけるｘ方向（長辺方向）の２つの対向する側面にカバー凹部３１を設けた場合に比べて、基台２と本体カバー３との嵌合（係合）の安定性をより向上させることが可能となる。
【００４７】
また、当該構成によれば、本体カバー３におけるｘ方向の２つの対向する側面にカバー凹部３１を設けた場合に比べて、本体カバー３の取り外し作業をより効率化することができる。但し、後述の変形例に示されるように、カバー凹部３１を本体カバー３におけるｘ方向の２つの対向する側面に設けることも可能である。
【００４８】
続いて、図２を参照し、取手部６の好適な構成について述べる。以下に示す各構成は、作業スペースが狭い場合であっても、本体カバー３の取り外し作業をさらに容易化するための構成である。なお、図２では、本体カバー３におけるｙ方向の１つの側面のみが図示されているため、取手部６およびカバー凹部３１は、それぞれ１つずつ図示されている。
【００４９】
図２に示されるように、取手部６は、基台２を固定する固定部６４を有している。固定部６４は、基台２の一部分と係合する爪状の部材であってよい。なお、取手部６をハンドル状の部材として設ける場合には、取手部６はカバー凹部３１内において回転可能であることが好ましい。
【００５０】
また、取手部６には、ユーザが取手部６を把持して操作するための把持部６３が設けられていてよい。そして、取手部６は、カバー凹部３１の外側（図２におけるｚ軸の正方向）に引っ張られることにより回転するように構成されてよい。
【００５１】
この場合、取手部６の回転に伴い、固定部６４を基台２から離すことができる。例えば、ユーザが把持部６３を把持し、取手部６をカバー凹部３１の外側に引っ張る操作を行う場合を考える。この場合、ユーザの引っ張り操作に伴い、把持部６３がｘ軸の正方向に移動するように回転する。
【００５２】
ここで、図２に示されるように、取手部６の回転中心は、把持部６３よりも本体カバー３の内側（図２におけるｘ軸の正方向，カバー凹部３１の内側と理解してもよい）に位置している。従って、把持部６３がｘ軸の正方向に移動するように回転した場合には、固定部６４はｘ軸の負方向に移動するように回転する。これにより、固定部６４が基台２から離れる。
【００５３】
以上のように、取手部６を、カバー凹部３１の外側（図２におけるｚ軸の正方向，基台２から本体カバー３を取り外す方向と理解されてもよい）に引っ張ることにより、取手部６を回転させて、固定部６４を基台２から離すことができる。このため、基台２から本体カバー３を取り外すことが可能となる。
【００５４】
当該構成によれば、取手部６をカバー凹部３１の内側（図２におけるｘ軸の正方向）に押し込んで本体カバー３を取り外す構成に比べて、本体カバー３の取り外し作業をさらに容易化することができる。
【００５５】
また、取手部６には、取手凹部６１が設けられていることが好ましい。取手凹部６１は、ユーザが取手部６の少なくとも一部に手を掛けることが可能な凹部の空間である。取手凹部６１が設けられることにより、ユーザが取手部６に手を掛けることがより容易となる。
【００５６】
また、取手凹部６１の下部には、ｚ方向（高さ方向）に沿って傾斜する斜面６２が設けられていることが好ましい。図２に示されるように、斜面６２とは、取手凹部６１の各面のうち、ｚ座標が最小となる位置を含む面である。
【００５７】
斜面６２が設けられることにより、取手凹部６１の開口面積が増加するため、ユーザが取手凹部６１に手を入れることがより容易となる。このため、ユーザが取手部６に手を掛けることがより容易となる。
【００５８】
ところで、基台２から本体カバー３を取り外すための取手部６の操作は、上述のものに限定されない。例えば、取手部６は、図２におけるｘ軸の正方向（カバー凹部３１の内側）に押し込まれることにより、本体カバー３を取り外すことが可能となるとなるように構成されてもよい。このような場合には、斜面６２を設けることにより、ユーザに取手部６をｘ軸の正方向に押し込む操作を特に容易に行わせることができる。
【００５９】
なお、取手凹部６１のｚ方向の寸法は、ユーザが指を入れることが可能な程度のサイズであってもよい。例えば、取手部６がユーザの指によって操作可能であるように構成されていれば、ユーザは取手凹部６１に１本の指を入れて、本体カバー３を取り外すこともできる。
【００６０】
以上のように、図２に示された取手部６の好適な構成によれば、本体カバー３の取り外し作業をさらに容易化することができる。
【００６１】
（分電盤１の効果）
以上のように、本実施形態の分電盤１によれば、ケースからカバーを取り外すための作業スペースが狭い場合であっても、ケースの取り外し作業を従来よりも容易化することが可能となる。なお、本実施形態の分電盤１は、住宅用の分電盤にも適用可能であるが、遊技機（例えば、パチンコ台またはスロット台）向けに特に好適である。その理由について、以下に述べる。
【００６２】
一般的に、複数の遊技機は、島と称される複数のグループごとに電気的な制御が行われる。そして、上述の島の電気的な制御を行うための分電盤（制御盤）は、島盤と称される。
【００６３】
例えば、遊技機がパチンコ台である場合には、島盤は台の上の部分に設置されることが標準的である。他方、遊技機がスロット台である場合には、島盤は台の下の部分に設置されることが標準的である。
【００６４】
このように、一般的に島盤の設置位置は制限されることが多い。従って、島盤は、上下左右が壁に密接した狭いスペース内に設置されることとなる。このため、従来では、このような狭いスペース内に配置された島盤のカバーを、ケースから取り外すことは困難であった。
【００６５】
しかしながら、本実施形態の分電盤１によれば、上述した通り、基台２から本体カバー３を取り外すための作業スペースが狭い場合であっても、本体カバー３の取り外し作業を従来よりも容易化することができる。このため、狭いスペース内に設置されることが要求される島盤の場合にも、基台２から本体カバー３を容易に取り外すことが可能となる。
【００６６】
以上のように、本実施形態の分電盤１は、遊技機用の島盤に特に好適な構成である。なお、本実施形態の分電盤１の構成は、遊技機用の島盤のメンテナンス作業の効率化および設置の自由度の向上を目的として、本願の発明者によって新たに見出されたものである。
【００６７】
〔変形例〕
上述の実施形態１では、本体カバー３におけるｙ方向の２つの対向する側面に、カバー凹部３１を設けた構成が例示されていた。しかしながら、本体カバー３および基台２の少なくともいずれかの構造を工夫することにより、本体カバー３におけるｘ方向の２つの対向する側面にカバー凹部を設けることも可能である。
【００６８】
例えば、本体カバー３におけるｘ方向の２つの対向する側面にカバー凹部を設ける場合には、基台２および本体カバー３のそれぞれの角部（四隅）に補助的な嵌合部を設けてもよい。これらの補助的な嵌合部を設けることにより、基台２と本体カバー３との係合の安定性を確保することができるためである。
【００６９】
また、本体カバー３におけるｘ方向の２つの対向する側面にカバー凹部を設ける場合には、当該カバー凹部に斜面（例えば、短辺方向であるｙ方向に沿って傾斜する斜面）を設けてもよい。以下、当該構成の利点を説明するために、本発明の一態様に係る分電盤を、遊技機用の島盤に適用した場合を考える。
【００７０】
遊技機用の島盤において、本体カバー３の長辺方向であるｘ方向の２つの対向する側面
に、ｘ方向に比較的長いカバー凹部を設けた場合には、当該カバー凹部にパチンコ玉が引っ掛かり、これらのパチンコ玉がカバー凹部内に滞留する可能性がある。このため、カバー凹部内に滞留したパチンコ玉によって、当該カバー凹部内に配置された取手部の適切な動作が阻害されることが懸念される。
【００７１】
しかしながら、ｙ方向に沿って傾斜する斜面をカバー凹部に設けた場合には、当該カバー凹部にパチンコ玉が引っ掛かったとしても、これらのパチンコ玉は斜面に沿ってｙ方向に転がって、カバー凹部から排出されることとなる。それゆえ、パチンコ玉によって、カバー凹部内に配置された取手部の動作が阻害されるリスクを低減することができる。
【００７２】
なお、上述の実施形態１のカバー凹部３１にも、同様の斜面が設けられてもよい。例えば、パチンコ玉によって取手部６の動作が阻害されるリスクを低減するために、ｘ方向に沿って傾斜する斜面が、カバー凹部３１に設けられてもよい。
【００７３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明は、分電盤に利用することができる。
【符号の説明】
【００７５】
１      分電盤
２      基台（ケース）
３      本体カバー（カバー）
６      取手部
１５    端子台（配線機器）
３１    カバー凹部
６１    取手凹部
６２    斜面
６４    固定部
ｚ方向  高さ方向
【図１】
0006521365.tif 000002
【図２】
0006521365.tif 000003
【図３】
0006521365.tif 000004
【図４】
0006521365.tif 000005
【図５】
0006521365.tif 000006